(57)【要約】  【課題】  不正なコピーを防止するために機密文書等に埋め込まれたパターンを読取ることができる画像読取装置、及び画像記録装置の提供。  【解決手段】  テストパターン評価モードに入り（Ｓ１１：ＹＥＳ）、テストシートの読込指示を受付けた場合（Ｓ１２：ＹＥＳ）、テストシートの読込みを行う（Ｓ１３）。次いで、画像読取部が取得した画像データに基づき、テストパターンを含んだ領域を抽出し（Ｓ１４）、検出対象となっている基準パターンを呼出して（Ｓ１５）、類似度の算出を行う（Ｓ１６）。そして、算出結果を表示部に表示する（Ｓ１７）。【選択図】      図７
2006140832.tif 000002
【特許請求の範囲】
【請求項１】
シート上に記録された画像を読取る読取手段と、読取った画像に所定の画像が含まれているか否かを検出する検出手段とを備え、該検出手段の検出結果に応じた処理を実行する画像読取装置において、
前記読取手段にて読取った画像から１又は複数の領域を抽出する手段と、抽出した領域に含まれる画像と前記検出手段が検出すべき所定の画像との類似度を算出する手段と、該手段による算出結果を表示する手段とを備えることを特徴とする画像読取装置。
【請求項２】
前記領域に含まれる画像を構成する画素と前記所定の画像を構成する画素とを比較する手段を備え、該手段による比較結果に基づいて両画像の類似度を算出するようにしてあることを特徴とする請求項１に記載の画像読取装置。
【請求項３】
前記領域に含まれる画像の特徴を抽出する手段と、抽出した特徴と前記所定の画像が持つ特徴とを比較する手段とを備え、該手段による比較結果に基づいて両画像の類似度を算出するようにしてあることを特徴とする請求項１に記載の画像読取装置。
【請求項４】
利用者に係る情報を受付ける手段と、受付けた情報に基づいて前記類似度の算出及び表示の可否を判断する手段とを備え、該手段が類似度の算出及び表示を可と判断した場合、読取った画像に基づいて類似度の算出及び表示を行うようにしてあることを特徴とする請求項１乃至請求項３の何れか１つに記載の画像読取装置。
【請求項５】
前記検出手段が所定の画像を検出した場合、画像の読取りを中止するようにしてあることを特徴とする請求項１乃至請求項４の何れか１つに記載の画像読取装置。
【請求項６】
前記検出手段が所定の画像を検出した場合、その旨を報知する処理を実行するようにしてあることを特徴とする請求項１乃至請求項４の何れか１つに記載の画像読取装置。
【請求項７】
請求項１乃至請求項６の何れか１つに記載の画像読取装置と、該画像読取装置にて読取った画像をシート上に記録する手段とを備えることを特徴とする画像記録装置。
【発明の詳細な説明】
【技術分野】
【０００１】
本発明は、不正なコピーを防止するために機密文書等に埋め込まれたパターンを読取ることができる画像読取装置、及び画像記録装置に関する。
【背景技術】
【０００２】
コピー機やデジタル複合機等の性能が向上する一方で紙幣、有価証券、著作物、機密文書等の不正コピーが問題となっており、近年では、その対策として機密文書である旨、又はコピーを禁止する旨の情報を持たせたパターンを処理対象の画像に埋め込み、不正なコピーを牽制する技術が広く利用されている（例えば、特許文献１参照）。
【０００３】
このようなコピー牽制技術では、予め定めた文字列、記号、図形等のパターンを処理対象の画像に埋め込むことで、コピーを完全に禁止する処理、又はコピーを行うときに警告を出力する処理等を実行し、不正なコピーを防止するようにしている。
【特許文献１】特開２００２−７７６００号公報
【発明の開示】
【発明が解決しようとする課題】
【０００４】
しかしながら、このような処理対象の画像に埋め込まれたパターンはセキュリティ面で重要なものであるため、装置の生産時、設置時等においてコピー牽制機能が有効に働くか否かを確認できることが望ましいが、現時点ではコピー牽制機能の動作を確認する手法については提案がなされていないのが現状である。
【０００５】
本発明は斯かる事情に鑑みてなされたものであり、コピー牽制機能が有効に働いているか否かを確認するために、予め定めたパターンの検出精度を定量的に示すことができる画像読取装置、及び画像記録装置を提供することを目的とする。
【課題を解決するための手段】
【０００６】
本発明に係る画像読取装置は、シート上に記録された画像を読取る読取手段と、読取った画像に所定の画像が含まれているか否かを検出する検出手段とを備え、該検出手段の検出結果に応じた処理を実行する画像読取装置において、前記読取手段にて読取った画像から１又は複数の領域を抽出する手段と、抽出した領域に含まれる画像と前記検出手段が検出すべき所定の画像との類似度を算出する手段と、該手段による算出結果を表示する手段とを備えることを特徴とする。
【０００７】
本発明にあっては、読取った画像から１又は複数の領域を抽出し、抽出した領域に含まれる画像と検出すべき所定の画像との類似度を算出し、算出結果を表示することにより、装置として確保すべき検出精度を有しているか否かの客観的な判断材料を提示することができる。
【０００８】
本発明に係る画像読取装置は、前記領域に含まれる画像を構成する画素と前記所定の画像を構成する画素とを比較する手段を備え、該手段による比較結果に基づいて両画像の類似度を算出するようにしてあることを特徴とする。
【０００９】
本発明にあっては、抽出した領域に含まれる画像を構成する画素と所定の画像を構成する画素との比較により、両画像の類似度を算出しているため、パターンマッチング等の手法を用いた類似度の算出が可能となる。
【００１０】
本発明に係る画像読取装置は、前記領域に含まれる画像の特徴を抽出する手段と、抽出した特徴と前記所定の画像が持つ特徴とを比較する手段とを備え、該手段による比較結果に基づいて両画像の類似度を算出するようにしてあることを特徴とする。
【００１１】
本発明にあっては、領域内に含まれる画像から抽出した特徴と所定の画像が持つ特徴との比較により類似度を算出しているため、検出対象の画像を装置内に記憶させておく必要がなくなる。
【００１２】
本発明に係る画像読取装置は、利用者に係る情報を受付ける手段と、受付けた情報に基づいて前記類似度の算出及び表示の可否を判断する手段とを備え、該手段が類似度の算出及び表示を可と判断した場合、読取った画像に基づいて類似度の算出及び表示を行うようにしてあることを特徴とする。
【００１３】
本発明にあっては、利用者に係る情報を受付け、受付けた情報に基づいて類似度の算出及び表示の可否を判断するようにしているため、特定の利用者のみが操作を行えるようにすることができ、検出対象となっている画像についての情報が外部へ漏洩することを防止することができる。
【００１４】
本発明に係る画像読取装置は、前記検出手段が所定の画像を検出した場合、画像の読取りを中止するようにしてあることを特徴とする。
【００１５】
本発明にあっては、検出手段が所定の画像を検出した場合、画像の読取りを中止するようにしているため、所定の画像を付した文書等の複製が防止される。
【００１６】
本発明に係る画像読取装置は、前記検出手段が所定の画像を検出した場合、その旨を報知する処理を実行するようにしてあることを特徴とする。
【００１７】
本発明にあっては、検出手段が所定の画像を検出した場合、その旨を報知するようにしているため、所定の画像を付した文書等の複製が防止される。
【００１８】
本発明に係る画像記録装置は、前述した発明の何れか１つに記載の画像読取装置と、該画像読取装置にて読取った画像をシート上に記録する手段とを備えることを特徴とする。
【００１９】
本発明にあっては、画像読取装置にて読取った画像をシート上に記録するようにしているため、コピー機、デジタル複合機への適用が可能となる。
【発明の効果】
【００２０】
本発明による場合は、読取った画像から１又は複数の領域を抽出し、抽出した領域に含まれる画像と検出すべき所定の画像との類似度を算出し、算出結果を表示するようにしている。したがって、検出対象の画像を予め記録したシートを用いて類似度を算出させることにより、装置として確保すべき検出精度を有しているか否かを客観的に判断することが可能となる。
【００２１】
本発明による場合は、抽出した領域に含まれる画像を構成する画素と所定の画像を構成する画素との比較により、両画像の類似度を算出している。したがって、パターンマッチング等の手法を用いて類似度を算出することができ、複数の画像についての類似度を算出する場合であっても比較的速やかに算出結果を得ることができる。
【００２２】
本発明による場合は、領域内に含まれる画像から抽出した特徴と所定の画像が持つ特徴との比較により類似度を算出している。したがって、検出対象の画像を装置内に記憶させておく必要がなくなり、検出対象となっている画像についての情報が外部へ漏洩することを防止することができる。
【００２３】
本発明による場合は、利用者に係る情報を受付け、受付けた情報に基づいて類似度の算出及び表示の可否を判断するようにしているため、特定の利用者のみが操作を行えるようにすることができ、検出対象となっている画像についての情報が外部へ漏洩することを防止することができる。
【００２４】
本発明による場合は、検出手段が所定の画像を検出した場合、画像の読取りを中止するようにしているため、所定の画像を付した文書等の複製が防止される。
【００２５】
本発明による場合は、検出手段が所定の画像を検出した場合、その旨を報知するようにしているため、所定の画像を付した文書等の複製が防止される。
【００２６】
本発明による場合は、画像読取装置にて読取った画像をシート上に記録するようにしているため、コピー機、デジタル複合機への適用が可能となる。
【発明を実施するための最良の形態】
【００２７】
以下、本発明をその実施の形態を示す図面に基づいて具体的に説明する。
図１は本発明に係る画像読取装置を備えたデジタル複合機の内部構成を示す断面図である。デジタル複合機１０は、大別して画像読取部２０、画像記録部３０、及び給紙部４０により構成される。デジタル複合機１０は、画像読取部２０にて原稿の画像を光学的に読取る処理、画像記録部３０にて給紙部４０から供給される用紙上に画像の記録する処理を行えるようにしている。
【００２８】
以下、画像読取部２０、画像記録部３０、及び給紙部４０の構成について説明する。画像読取部２０は、光源ユニット２２３、ミラーユニット２２４、及びＣＣＤ読取ユニット２２５（CCD : Charge Coupled Device）を備えており、光源ユニット２２３及びミラーユニット２２４を図中の白抜矢符の方向へ走査することにより、ガラス製の原稿台２０１に載置された原稿の画像をＣＣＤ読取ユニット２２５にて読取る。
【００２９】
光源ユニット２２３は、原稿台２０１に対して読取用の照明光を照射する光源、原稿からの反射光の光路を９０°変更するために原稿台２０１の載置面に対して反射面を４５°にして設置されたミラー等を備える。この光源ユニット２２３は、図に示していないステッピングモータにより原稿台２０１の載置面に平行に移動し、原稿台２０１に載置された原稿の全面又は選択された一部の領域に照明光を照射する。また、ミラーユニット２２４は、反斜面が相互に直交するように配置された一対のミラーにより構成されており、光源ユニット２２３のミラーにより反射された光の光路を更に１８０°変更する。
【００３０】
ＣＣＤ読取ユニット２２５は、ＣＣＤラインセンサ、ＡＤ変換器、ＤＳＰ（Digital Signal Processor）等を備えており、ミラーユニット２２４からＣＣＤ読取ユニット２２５に至る経路の中途に設けられた結像レンズによって原稿の画像をＣＣＤラインセンサに結像させ、このＣＣＤラインセンサによって得られたアナログ信号をＡＤ変換器によりデジタル信号に変換する。そして、ＡＤ変換して得られたデジタル信号について、ＤＳＰにより原稿読取時の光源の配光特性、ＣＣＤラインセンサの感度ムラ等の補正を施すことにより、デジタル形式の画像データを取得する。
【００３１】
更に、画像読取部２０は、複数の原稿を順次的に供給搬送する自動原稿搬送装置２００を備えており、多量の原稿を迅速に読み取れるようにしている。
【００３２】
画像記録部３０は、電子写真方式により用紙上に画像の記録を行うものであり、感光体ドラム３３１を所定の電位に帯電させる帯電器３３２、画像読取部２０が取得した画像データに基づいてレーザ光を発し、感光体ドラム３３１上に静電潜像を生成させるレーザ書込装置３３０、感光体ドラム３３１表面に形成された静電潜像にトナーを供給して顕像化する現像器３３４、感光体ドラム３３１表面に形成されたトナー像を用紙上に転写する転写器３３５等を備えている。
【００３３】
給紙部４０は、サイズ、向き等が異なる複数種の用紙を収容するための給紙カセット４２１，４２２，４２３、及び利用者が載置したシートを取込むための手差トレイ４１２を備えている。給紙カセット４２１，４２２，４２３には、それぞれ収容した用紙の先端近傍に配置されたピックアップローラ４２１ａ，４２２ａ，４２３ａが設けられており、これらのピックアップローラ４２１ａ，４２２ａ，４２３ａによって一枚ずつ分離された用紙が用紙搬送路４２０を通じて画像記録部３０へ搬送される。手差トレイ４１２に載置された用紙も同様であり、載置された用紙の先端近傍に配置されたピックアップローラ４１２ａによりデジタル複合機１０の内部に取り込まれ、用紙搬送路４１０を通じて画像記録部３０へ搬送される構成となっている。
【００３４】
以下、デジタル複合機１０により画像の記録を行う場合の動作について説明する。給紙部４０により供給される用紙は、搬送ローラ３１１により画像記録部３０の内部に取り込まれ、搬送路３１０を通じてレジストローラ３１２まで搬送される。レジストローラ３１２の近傍には図に示してないレジスト前検知スイッチが設置されており、感光体ドラム３３１上のトナー像と用紙との位置合わせをするために搬送されてきた用紙をレジストローラ３１２にて一旦保持した後、所定のタイミングにて感光体ドラム３３１と対向する位置まで用紙を搬送する。感光体ドラム３３１の対向位置まで搬送された用紙上には、転写器３３５により感光体ドラム３３１上のトナー像が転写される。
【００３５】
トナー像が転写された用紙は、一対の定着ローラを有する定着ユニット３３６へ向けて搬送され、定着ローラが供給する熱によってシート上に転写されたトナー像を定着させる。トナー像を定着させた用紙は搬送ローラ３１３によって排紙ローラ３１４の位置まで搬送され、排紙ローラ３１４により一旦保持される。
【００３６】
用紙の両面の画像の記録を行う場合には、排紙ローラ３１４によって保持した用紙を両面原稿搬送路３２０を通じて再度レジストローラ３１２まで搬送し、搬送されてきた用紙の裏面に画像の記録を行う。また、用紙の両面に画像の記録を行わない場合、又はその両面に画像が記録された用紙が搬送されてきた場合、排紙ローラ３１４を通じて排紙トレイ３１５へ排紙する。
【００３７】
図２はデジタル複合機１０の制御系の構成を示すブロック図である。デジタル複合機１０は、ＣＰＵ１１を備えており、このＣＰＵ１１がＲＯＭ１３に予め格納された制御プログラムをＲＡＭ１４にロードして実行することにより、バス１２に接続された画像読取部２０、画像記録部３０等のハードウェア各部を制御し、本発明の画像読取装置、及び画像記録装置として動作させる。
【００３８】
以下、バス１２に接続されているハードウェア各部について説明する。操作部１５は、利用者による操作指示を受付けるために各種のハードウェアキーを備えており、機能の切替え操作、印刷枚数、画像記録時の濃度等の設定を受付けるようにしている。また、表示部１６は、液晶ディスプレイ、ＬＥＤディスプレイ等を備えており、デジタル複合機１０の動作状況、操作部１５を通じて入力された設定値等を表示する。また、表示部１６の一部はタッチパネル方式のソフトウェアキーが配置され、利用者による選択操作等を受付けるようにしている。
【００３９】
画像読取部２０は、図に示していないインタフェース回路を介してバス１２に接続されており、このインタフェース回路を通じてＣＰＵ１１からの命令を受け、この命令に従って画像の読取り動作を行う。また、インタフェース回路を通じてハードウェア各部と各種データのやり取りを行う。例えば、操作部１５を通じて原稿の読み取りが指示された場合、ＣＰＵ１１は、原稿の読取開始を指示するための命令をインタフェース回路を通じて光源ユニット２２３及びミラーユニット２２４に与える。命令を受けた光源ユニット２２３は光源を点灯させるとともに、当該命令により指示される範囲の画像を読取るために光源ユニット２２３及びミラーユニット２２４の駆動源であるステッピングモータ（不図示）を駆動して原稿の走査を行う。そして、原稿の画像を読取ることによりＣＣＤ読取ユニット２２５が取得した画像データを所定の転送先へ転送する。
【００４０】
画像記録部３０は、図に示していないインタフェース回路を介してバス１２に接続されており、このインタフェース回路を通じてＣＰＵ１１からの命令を受け、この命令に従って画像を用紙上に記録する動作を行う。また、インタフェース回路を通じて他のハードウェア各部と各種データのやり取りを行うようにしている。例えば、画像読取部２０が取得した画像データに基づいて用紙上に画像の記録を行う場合、ＣＰＵ１１は、画像記録部３０内のハードウェア各部を動作させるための命令をインタフェース回路を通じてハードウェア各部に与える。また、画像読取部２０からの画像データがインタフェース回路を通じてレーザ書込装置３３０に転送される。画像記録部３０では、これらの命令に従ってハードウェア各部を作動させ、画像データをレーザ書込装置３３０に転送して感光体ドラム３３１上に静電潜像を書込み、書込まれた静電潜像にトナーを供給して顕像化し、得られたトナー像を用紙上に転写することで画像の記録を行う。
【００４１】
パターン検出部１７は、画像読取部２０にて読取った画像に所定のパターンが含まれているか否かを検出する。パターン検出部１７が検出すべきパターンは、文字列、記号、図形、又はそれらの組み合わせからなる画像であり、読取った画像とのパターンマッチング、又は読取った画像から特徴を抽出を行うことによりパターンの検出を行う。
なお、本デジタル複合機１０では、「マル秘」、「重要」、「親展」、「社外秘」を表す４種類のマークを検出するものとして以下の説明を行う。
【００４２】
評価判定部１８は、評価用のパターン（以下、テストパターン）を予め記録したシート（以下、テストシート）を読み込んだ際に、装置内に予め用意してある基準パターンと比較し、両者の類似度を算出することによってパターン検出部１７での検出精度を算出するものである。図３は評価判定部１８の内部構成を示すブロック図である。評価判定部１８は、領域抽出部１８１、基準パターン記憶部１８２、及び類似度算出部１８３により構成されている。領域抽出部１８１は、入力された画像データに基づいてテストパターンを含んだ領域の抽出を行う。基準パターン記憶部１８２は、パターン検出部１７での検出対照となるパターン（基準パターン）に関する情報を記憶している。基準パターン記憶部１８２が記憶している情報は、基準パターンそのものを表す画像データ、又は基準パターンの特徴を示す情報である。類似度算出部１８３では、テストパターンと基準パターンとの比較を行い、両者の類似度を算出する。類似度の算出には、パターン検出部１７での検出手法と同様の手法を用いる。すなわち、パターン検出部１７にて画素同士の比較を行って所定のパターンであるか否かを検出するようにしている場合には、類似度算出部１８３でも画素同士の比較を行って類似度の算出を行い、パターン検出部１７にて画像の特徴を抽出して所定のパターンであるか否かを検出している場合には、類似度算出部１８３でも画像の特徴を比較して類似度の算出を行う。類似度算出部１８３による算出結果はＣＰＵ１１へ出力される。
【００４３】
以下、テストパターンを用いて評価を行う場合の動作について説明する。テストパターンを用いて評価を行う場合、本実施の形態に係るデジタル複合機１０は操作部１５及び表示部１６を通じて利用者認証を要求する。図４は操作部１５及び表示部１６の構成を示す模式図であり、図５は表示部１６に表示される画面の一例を示す模式図である。前述したように操作部１５は、利用者による操作指示を受付けるためのハードウェアキーを備えている。操作部１５が備えるハードウェアキーとしては、印刷枚数等の数値を入力するテンキー１５ａ、入力された値をクリアするクリアキー１５ｂ、操作部１５及び表示部１６にて設定した内容を解除する全解除キー１５ｃ、画像の読取開始を指示するスタートキー１５ｄ、各利用者の設定を受付けるユーザ設定キー１５ｅ等が挙げられる。
【００４４】
操作部１５のユーザ設定キー１５ｅが押下操作された場合、ＣＰＵ１１は、利用者を特定するコード（以下、利用者コード）を受付けるためにコード入力欄１００ａを中央近傍に配したコード入力画面１００を表示部１６に表示する（図５（ａ）参照）。利用者コードは、例えば、６桁の数値により構成されており、利用者はテンキー１５ａを利用して利用者コードの入力を行う。
【００４５】
この利用者コードに基づいて利用者認証を行った結果、所定の利用者（例えば、装置管理者）であると判定した場合には、ＣＰＵ１１は、図５（ｂ）に示したような管理者プログラム画面１１０を表示部１６に表示する。この管理者プログラム画面１１０には、システムに関する設定を行うシステム設定ボタン１１０ａ、セキュリティに関する設定を行うセキュリティ設定ボタン１１０ｂ、テストシートを用いた評価を行うテストパターン評価ボタン１１０ｃが配置されており、各種の設定又はテストパターンによる評価を行えるようにしている。テストパターン評価ボタン１１０ｃが押下操作された場合、テストパターン評価モードに入ると共に、テストシートの読込みを促す画面１２０を表示部１６に表示する（図５（ｃ）参照）。
【００４６】
なお、本実施の形態では、テストパターンの評価を装置管理者が行う構成としたが、装置管理者以外の者が行う構成であってもよく、例えば、利用者認証を行う代わりにその者のみが知る操作手順によってテストパターン評価モードに入る構成であってもよい。
【００４７】
図６はテストシートの一例を示す模式図である。テストシートには、デジタル複合機１０のパターン検出部１７で検出するパターン（基準パターン）が予め記録されている。図６に示した例では、「マル秘」、「重要」、「親展」、「社外秘」を表す４種類のマークが基準パターンとして記録されており、パターン検出部１７の性能を評価する場合には、テストパターン評価モードに入った上でテストシートの読込みを行う。
【００４８】
図７は本実施の形態に係るデジタル複合機１０による処理の手順を説明するフローチャートである。ＣＰＵ１１は、まず、テストパターン評価モードが選択されているか否かを判断する（ステップＳ１１）。テストパターン評価モードが選択されていないと判断した場合（Ｓ１１：ＮＯ）、テストパターン評価モードが選択されるまで待機する。
【００４９】
テストパターン評価モードが選択されていると判断した場合（Ｓ１１：ＹＥＳ）、ＣＰＵ１１は、操作部１５のスタートキー１５ｄが押下操作されたか否かを判断することにより、テストシートの読込指示があるか否かを判断する（ステップＳ１２）。読込指示がないと判断した場合（Ｓ１２：ＮＯ）、読込指示があるまで待機する。また、読込指示があると判断した場合（Ｓ１２：ＹＥＳ）、テストシートの読込みを行う（ステップＳ１３）。すなわち、ＣＰＵ１１は、画像読取部２０に対して画像の読取開始を指示する命令を与え、光源ユニット２２３及びミラーユニット２２４を走査させることにより、原稿台２０１に載置されたテストシートの画像を読取る処理を行う。
【００５０】
次いで、ＣＰＵ１１は、テストシートの読込みを行うことにより取得した画像からテストパターンを含んだ領域を抽出する（ステップＳ１４）。例えば、図６に示したようなテストシートの読込みを行った場合、「マル秘」、「重要」、「親展」、「社外秘」のマーク（テストパターン）を夫々に含んだ４つの領域を抽出する。そして、各テストパターンに対応した基準パターンを基準パターン記憶部１８２から呼出し（ステップＳ１５）、評価判定部１８の類似度算出部１８３はテストシートから読取ったテストパターンと呼出した基準パターンとを比較することにより類似度の算出を行う（ステップＳ１６）。この類似度の算出は、テストシートから読取ったテストパターン毎に行う。
【００５１】
そして、ＣＰＵ１１は、算出結果を表示部１６に表示する（ステップＳ１７）。図８は表示部１６に算出結果を表示したときの画面例を示す模式図である。図に示したように、読込んだテストシートに記録されている全てのテストパターンについて類似度の算出を行い、その算出結果を一度に表示するようにしているが、このとき、テストパターンを記号を用いて表すようにしている。すなわち、「マル秘」、「重要」、「親展」、「社外秘」の各テストパターンの算出結果については、それぞれ「＃１」、「＃２」、「＃３」、「＃４」の記号を付して算出結果を表示するようにしている。
【００５２】
なお、本実施の形態では、「マル秘」、「重要」、「親展」、「社外秘」を表すマークを検出対象の基準パターンとして設定したが、デジタル複合機１０にて検出すべき基準パターンはこれらのものに限定されないことは勿論のことである。たとえば、文字列を含まない図形、記号であってもよく、人の目に見えないような色材で記録された各種のパターンを検出できるようにしてもよいことは勿論のことである。
【００５３】
また、本実施の形態では、本発明に係る画像読取装置をデジタル複合機１０に適用した形態について説明したが、券売機、自動販売機等に適用し、紙幣の真偽判定を行う装置について性能評価を行う構成であってもよい。
【図面の簡単な説明】
【００５４】
【図１】本発明に係る画像読取装置を備えたデジタル複合機の内部構成を示す断面図である。
【図２】デジタル複合機の制御系の構成を示すブロック図である。
【図３】評価判定部の内部構成を示すブロック図である。
【図４】操作部及び表示部の構成を示す模式図である。
【図５】表示部に表示される画面の一例を示す模式図である。
【図６】テストシートの一例を示す模式図である。
【図７】本実施の形態に係るデジタル複合機による処理の手順を説明するフローチャートである。
【図８】表示部に算出結果を表示したときの画面例を示す模式図である。
【符号の説明】
【００５５】
１０  デジタル複合機
１１  ＣＰＵ  
１２  バス  
１３  ＲＯＭ
１４  ＲＡＭ
１５  操作部
１６  表示部
１７  パターン検出部
１８  評価判定部
２０  画像読取部
３０  画像記録部
１８１  領域抽出部
１８２  基準パターン記憶部
１８３  類似度算出部
【図１】
2006140832.tif 000003
【図２】
2006140832.tif 000004
【図３】
2006140832.tif 000005
【図４】
2006140832.tif 000006
【図５】
2006140832.tif 000007
【図６】
2006140832.tif 000008
【図７】
2006140832.tif 000009
【図８】
2006140832.tif 000010